(57)【要約】【課題】  細長い形状とされても確実にシールドすることのできる電子機器ケースとする。【解決手段】  箱状の一面が開口しているケース本体１０と、ケース本体１０の開口部に嵌合される蓋体１１とから電子機器ケース１が構成されている。ケース本体１０の開口部の周縁部にくさび状凹部１０ｂが形成されており、くさび状凹部１０ｂに係合した際に抜け出ないように係合するくさび状突起が蓋体１１の周側部に形成されている。これにより、くさび状凹部１０ｂとくさび状突起の作用により、ケース本体１０の開口部における中央部が拡がることを防止することができ、確実にシールドした電子機器ケースとすることができる。【選択図】  図２
2007287769.tif 000002
【特許請求の範囲】
【請求項１】
箱状の一面が開口しているケース本体と、該ケース本体の開口部に嵌合される蓋体とからなる電子機器ケースであって、
前記ケース本体の開口部の周縁部に凹部が形成されており、該凹部に抜け出ないように係合可能な突起が前記蓋体の周側部に形成されていることを特徴とする電子機器ケース。
【請求項２】
電子機器ケースは縦長に形成されており、前記ケース本体の開口部の周縁部におけるほぼ中央部に前記凹部が対向するよう一対形成されており、前記蓋体の周側部におけるほぼ中央部に前記突起が対向するよう一対形成されていることを特徴とする請求項１記載の電子機器ケース。
【請求項３】
前記凹部が先端に行くにつれ幅が狭くなる形状とされていると共に、前記突起が先端に行くにつれ幅が拡がる形状とされていることを特徴とする請求項１あるいは２記載の電子機器ケース。
【発明の詳細な説明】
【技術分野】
【０００１】
本発明は、箱状の一面が開口しているケース本体と、このケース本体の開口部に嵌合される蓋体とからなる電子機器ケースに関するものである。
【背景技術】
【０００２】
従来の電子機器ケースは、一般に箱状の４角形断面のケース構造とされ、前面や側面に入力端子や出力端子を配置するようにしている。この電子機器ケースは、箱状の一面が開口しているケース本体と、このケース本体の開口部に嵌合される蓋体とから構成されている。ケース本体内には、電子回路を組み込んだ回路基板を収納することができるようになされており、基板を収納したケース本体の後面とされる開口部に蓋体を嵌合することにより電子機器ケースを組み立てるようにしている。
【発明の開示】
【発明が解決しようとする課題】
【０００３】
このような電子機器ケースの従来の構成例を図９および図１０に示す。図９は、従来の電子機器ケース１００の構成を示す後斜めから見た斜視図であり、図１０は従来の電子機器ケース１００の構成を示す背面図である。
これらの図に示す電子機器ケース１００は、分岐器の電子機器ケースとされて細長い形状とされており、一側面に入力接栓１１０ａが設けられ、複数の出力接栓が図示しない前面に設けられている。電子機器ケース１００は、後面が開口している細長い箱状のケース本体１１０と、ケース本体１１０の開口している後面に嵌合されている細長い板状の蓋体１１１とから構成されている。このように、ケース本体１１０の開口している後面に蓋体１１１を嵌合することにより、シールドされた電子機器ケース１００とされている。
【０００４】
ここで、蓋体１１１の構成を示す斜視図を図１１に示す。蓋体１１１は、図１１に示すように細長い矩形状の金属板から構成されている。また、ケース本体１１０の構成を示す斜視図を図１２に示す。図１２に示すケース本体１１０は、後面が開口している細長い箱状に形成されており、一側面に入力接栓１１０ａが設けられており、前面に出力接栓１１０ｅが４つ設けられている。ケース本体１１０内には入力接栓１１０ａから入力された信号を４分配して、４つの出力接栓１１０ｅからそれぞれ出力させる分岐回路が組み込まれた基板が収納される。この基板をケース本体１１０内に収納した際に、基板の周囲の下面がケース本体１１０の内側の周側面に立設されている複数のボス１１０ｃの上面に当接し、ボス１１０ｃの上面から突出している係合突起１１０ｄが、基板の周囲に形成されている係合穴に嵌合して位置決めされる。そして、基板に組み込まれた分岐回路が外部のノイズの影響を受けないように、基板をケース本体１１０内に収納した後に、図１１に示す蓋体１１１をケース本体１１０の後面に嵌合することにより図９に示す電子機器ケース１００が組み立てられるようになる。
【０００５】
従来の電子機器ケース１００においては、ケース本体１１０に蓋体１１１を嵌合することにより組み立てられるが、蓋体１１１を嵌合した際に図１０にケース本体１１０のＡ部で示す中央部が横方向に拡がり、拡がった部分のシールドが不完全になって、電子機器ケース１００内に収納された電子回路が外部のノイズの影響を受けるおそれがあるという問題点があった。特に、分岐器のように細長い形状の電子機器ケースの場合は、この問題点が顕著に表れるようになる。
そこで、本発明は細長い形状とされても確実にシールドすることのできる電子機器ケースを提供することを目的としている。
【課題を解決するための手段】
【０００６】
上記目的を達成するために、本発明の電子機器ケースは、箱状の一面が開口しているケース本体と、該ケース本体の開口部に嵌合される蓋体とからなり、開口部の周縁部に形成された凹部に抜け出ないように係合可能な突起が蓋体の周側部に形成されていることを最も主要な特徴としている。
【発明の効果】
【０００７】
本発明は、箱状の一面が開口しているケース本体と、該ケース本体の開口部に嵌合される蓋体とからなり、開口部の周縁部に形成された凹部に抜け出ないように係合可能な突起が蓋体の周側部に形成されている。これにより、ケース本体の開口部に蓋体を嵌合した際に蓋体の突起がケース本体の凹部に抜け出ないように係合することから、ケース本体の開口部における中央部が拡がることを防止することができ、確実にシールドした電子機器ケースとすることができる。
【発明を実施するための最良の形態】
【０００８】
本発明の実施例にかかる電子機器ケースの構成例を示す斜め後方から見た斜視図を図１に示し、電子機器ケースの構成を示す背面図を図２に示す。
これらの図に示す電子機器ケース１は、断面が４角形とされた箱状の細長いケース構造とされている。この電子機器ケース１は、分岐器の電子機器ケースに好適な細長い形状とされており、一側面に入力接栓１０ａが設けられ、複数の出力接栓が図示しない前面に設けられている。電子機器ケース１は、後面が開口している細長い箱状のケース本体１０と、ケース本体１０の開口している後面に嵌合されている細長い板状の蓋体１１とから構成されている。ケース本体１０は金属製とされて、例えばダイキャストにより作成され、このケース本体１０の開口している後面に、金属製の蓋体１１を嵌合することにより、シールドされた電子機器ケース１とされている。
【０００９】
図示するように、ケース本体１０の開口部の周縁部には所定間隔で複数のくさび状凹部１０ｂが形成されており、このくさび状凹部１０ｂの位置に合わせてくさび状突起が、蓋体１１の周側部に所定間隔で複数形成されている。くさび状凹部１０ｂは先端に行くにつれ幅が狭くなる形状とされ、くさび状突起は先端に行くにつれ幅が拡がる形状とされている。すると、ケース本体１０の開口している後面に蓋体１１を嵌合した際に、蓋体１１に形成されているくさび状突起がケース本体１０の開口部の周縁部に形成されているくさび状凹部１０ｂに抜け出ないように係合するようになる。これにより、電子機器ケース１が細長く形成されていても、くさび状凹部１０ｂに係合しているくさび状突起の作用により、ケース本体１０の開口部のほぼ中央部が横に拡がらないようになる。従って、ケース本体１０の後面とされる開口部に蓋体１１を嵌合した際に、ケース本体１０の開口部と蓋体１１とは密着して隙間が生じないことから、確実にシールドされた電子機器ケース１とすることができるようになる。
【００１０】
ここで、蓋体１１の構成を示す斜視図を図３に示し、蓋体１１の背面図を図４に示す。
これらの図に示すように、蓋体１１は細長い矩形状の金属板を加工して構成されている。蓋体１１の周側部には複数の先端に行くにつれ幅が拡がる形状とされたくさび状突起１１ｂが所定間隔で形成されており、くさび状突起１１ｂの間には相対的に先端に行くにつれ幅が狭くなる形状とされたくさび状凹部１１ｃが形成されるようになる。なお、複数のくさび状突起１１ｂは、ケース本体１０の開口部の周縁部に形成されている複数のくさび状凹部１０ｂの位置に対応する位置に形成されている。
【００１１】
また、ケース本体１０の構成を示す斜め後方から見た斜視図を図５に示し、ケース本体１０の構成を示す背面図を図６に示す。
これらの図に示すケース本体１０は、後面が開口している細長い箱状に形成されており、一側面に入力接栓１０ａが設けられており、前面に出力接栓１０ｅが４つ設けられている。ケース本体１０内には入力接栓１０ａから入力された信号を４分配して、４つの出力接栓１０ｅからそれぞれ出力させる分岐回路が組み込まれた基板が収納される。この基板をケース本体１０内に収納した際に、基板の周囲の下面がケース本体１０の内側の周側面に所定間隔で立設されている複数のボス１０ｃの上面に当接し、ボス１０ｃの上面から突出している係合突起１０ｄが、基板の周囲に形成されている係合穴に嵌合して基板が位置決めされる。また、ケース本体１０の後面とされる開口部の周縁部には所定間隔で先端に行くにつれ幅が狭くなる形状とされた複数のくさび状凹部１０ｂが形成されている。そして、基板に組み込まれた分岐回路が外部のノイズの影響を受けないように、基板をケース本体１０内に収納した後に、図３，４に示す蓋体１１をケース本体１０の開口部に嵌合することにより図１，２に示す電子機器ケース１が組み立てられるようになる。
【００１２】
なお、ケース本体１０の開口部に蓋体１１を嵌合した際に、蓋体１１の周側面に形成されている複数のくさび状突起１１ｂがケース本体１０の開口部の周縁部に形成されている複数のくさび状凹部１０ｂに抜け出ないようにそれぞれ係合するようになる。これにより、電子機器ケース１が細長く形成されていても、くさび状凹部１０ｂに係合しているくさび状突起１１ｂの作用により、ケース本体１０の開口部の中央部が横に拡がらないようになる。すなわち、ケース本体１０の後面の開口部に蓋体１１を嵌合した際に、ケース本体１０の開口部と蓋体１１とは密着して隙間が生じないようになることから、確実にシールドされた電子機器ケース１とすることができるようになる。従って、電子機器ケース１内に収納されている基板に組み込まれた分岐回路が外部のノイズの影響を受けることを防止することができ、ノイズに強い分岐器とすることができるようになる。
【００１３】
次に、本発明にかかる電子機器ケースの変形例の構成を示す背面図を図７に示す。
図７に示す本発明にかかる電子機器ケース２において、蓋体２１は細長い矩形状の金属板を加工して構成されているが、蓋体２１のほぼ中央部における周側部に対向するよう先端に行くにつれ幅が拡がる形状とされた一対のくさび状突起２１ｂが形成されている。また、ケース本体２０の開口部のほぼ中央部における周縁部に対向するよう先端に行くにつれ幅が狭くなる形状とされた一対のくさび状凹部２０ｂが形成されている。一対のくさび状凹部２０ｂは、蓋体２１に形成されている一対のくさび状突起２１ｂに対応する位置に形成されている。
【００１４】
そして、ケース本体２０の後面とされる開口部に蓋体２１を嵌合した際に、蓋体２１に形成されている一対のくさび状突起２１ｂがケース本体２０の開口部の周縁部に形成されている一対のくさび状凹部２０ｂに抜け出ないように係合するようになる。これにより、電子機器ケース２が細長く形成されていても、くさび状凹部２０ｂに係合しているくさび状突起２１ｂの作用により、ケース本体２０の開口部の中央部が横に拡がらないようになる。従って、図７に示す構成の電子機器ケース２においても、収納されている基板に組み込まれた分岐回路が外部のノイズの影響を受けることを防止することができ、ノイズに強い分岐器とすることができるようになる。
【００１５】
次に、本発明にかかる電子機器ケースのケース本体に形成するくさび状凹部の変形例を図８（ａ）ないし（ｄ）に示す。
図８（ａ）に示すくさび状凹部３０−１は、階段状に形成されておりくさび状凹部３０−１のほぼ中央に段差が形成されて先端側の幅が狭くされている。
図８（ｂ）に示すくさび状凹部３０−２は、くさび状凹部３０−２のほぼ中央から先端にかけて次第に幅が狭くなるテーパ部が形成されている。
図８（ｃ）に示すくさび状凹部３０−３は、くさび状凹部３０−３のほぼ中央にかけて次第に幅が狭くなるテーパ部が形成されている。
図８（ｄ）に示すくさび状凹部３０−４は、半円状に形成されておりくさび状凹部３０−４のほぼ中央の幅が最も広い幅とされている。
【００１６】
なお、本発明にかかる電子機器ケースの蓋体に形成するくさび状突起は、図８（ａ）ないし（ｄ）に示すくさび状凹部３０−１ないしくさび状凹部３０−４のいずれかとされた際に、その形状と相似の形状のくさび状突起が形成される。
また、以上説明したくさび状凹部およびくさび状突起においては、両側が対称の形状に形成されていたが、それぞれ異なる形状に形成するようにしても良い。
さらに、以上説明した電子機器ケースを適用した分岐器においては、４分配器としたがこれに限るものではなく、任意の分配数の分配器とすることができる。この場合、分配数が多くなるほど出力接栓の数が増加して電子機器ケースは細長くなるが、前述したくさび状突起とくさび状凹部の作用により、電子機器ケースのほぼ中央部が横に拡がることを防止することができる。
【産業上の利用可能性】
【００１７】
本発明の電子機器ケースには、分岐器に限らず分波器、合波器等の受動回路や、増幅器等の能動回路が組み込まれた基板を収納することができ、分配器・分岐器・混合器・増幅器等の機能を有する電子機器ケースに適用することができる。また、電子機器ケースに設けられる端子の数としては、所望の数の端子を側面や前面に設けることができる。
【図面の簡単な説明】
【００１８】
【図１】本発明の実施例にかかる電子機器ケースの構成例を示す斜め後方から見た斜視図である。
【図２】本発明の実施例にかかる電子機器ケースの構成例を示す背面図である。
【図３】本発明の実施例における電子機器ケースの蓋体の構成を示す斜視図である。
【図４】本発明の実施例における電子機器ケースの蓋体の構成を示す背面図である。
【図５】本発明の実施例における電子機器ケースのケース本体の構成を示す斜視図である。
【図６】本発明の実施例における電子機器ケースのケース本体の構成を示す背面図である。
【図７】本発明にかかる電子機器ケースの変形例の構成を示す背面図である。
【図８】本発明にかかる電子機器ケースのケース本体に形成するくさび状凹部の変形例を示す図である。
【図９】従来の電子機器ケースの構成を示す後斜めから見た斜視図である。
【図１０】従来の電子機器ケースの構成を示す背面図である。
【図１１】従来の電子機器ケースにおける蓋体の構成を示す斜視図である。
【図１２】従来の電子機器ケースにおけるケース本体の構成を示す斜視図である。
【符号の説明】
【００１９】
１  電子機器ケース、２  電子機器ケース、１０  ケース本体、１０ａ  入力接栓、１０ｂ  くさび状凹部、１０ｃ  ボス、１０ｄ  係合突起、１０ｅ  出力接栓、１１  蓋体、１１ｂ  くさび状突起、１１ｃ  くさび状凹部、２０  ケース本体、２０ｂ  くさび状凹部、２１  蓋体、２１ｂ  くさび状突起、３０−１〜３０−４  くさび状凹部、１００  電子機器ケース、１１０  ケース本体、１１０ａ  入力接栓、１１０ｃ  ボス、１１０ｄ  係合突起、１１０ｅ  出力接栓、１１１  蓋体
【図１】
2007287769.tif 000003
【図２】
2007287769.tif 000004
【図３】
2007287769.tif 000005
【図４】
2007287769.tif 000006
【図５】
2007287769.tif 000007
【図６】
2007287769.tif 000008
【図７】
2007287769.tif 000009
【図８】
2007287769.tif 000010
【図９】
2007287769.tif 000011
【図１０】
2007287769.tif 000012
【図１１】
2007287769.tif 000013
【図１２】
2007287769.tif 000014